(57)【要約】【課題】指紋画像における各特徴点位置に対するオペレータによるプロット操作を迅速に行い得ること。【解決手段】指紋画像と指紋画像上の特徴点を指定するポインタとを表示画面３に表示する画像出力制御部１１と、前記特徴点に特徴点表示マークを表示する特徴点入力設定部１２とを備え指紋特徴点表示入力装置であって、前記ポインタが位置する指紋画像全体の濃淡強度を、外部指令に基づいて濃淡上限値と濃淡下限値とから成る表示濃淡幅の範囲にて設定する濃淡値調整部１３を備え、前記画面出力制御部１１が、前記設定された前記表示濃淡幅で前記指紋画像の出力表示を更新表示する濃淡幅更新機能と、前記表示濃淡幅の新たな設定情報が無い場合には当該設定された表示濃淡幅を特徴点表示入力用の表示濃淡幅として固定し保持する濃淡幅固定保持機能とを備えていること。【選択図】図１
2013176134.tif 000002
【特許請求の範囲】
【請求項１】
指紋隆線を含む指紋画像とこの指紋画像の特徴点の座標位置を指定するためのポインタとを表示画面に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置であって、
前記装置本体部は、前記ポインタが位置する指紋画像全体の濃淡強度を、外部指令に基づいて濃淡上限値と濃淡下限値とから成る表示濃淡幅の範囲にて濃淡調整用として設定する濃淡値調整部を備えると共に、
前記画面出力制御部は、
前記特徴点表示マークの設定表示に際し、前記濃淡値調整部によって新たに設定された前記表示濃淡幅で前記指紋画像の出力表示を更新表示する濃淡幅更新機能と、前記濃淡値調整部から前記表示濃淡幅の新たな設定情報が無い場合には当該設定された表示濃淡幅を特徴点表示入力用の表示濃淡幅として固定し保持する濃淡幅固定保持機能とを備えていることを特徴とした指紋特徴点入力装置。
【請求項２】
請求項１に記載の指紋特徴点入力装置において、
前記装置本体部は、前記指紋画像上におけるポインタの移動先の座標位置情報が入力機器を介して外部入力された場合にこれを前記画像出力制御部へ送り込む第１の転送処理機能と、前記画像表示用の濃淡強度の上限値と下限値が特定された表示濃淡幅にかかる濃淡強度情報が前記入力機器を介して設定された場合にこれを前記濃淡値調整部へ送り込む第２の転送処理機能とを備えた設定情報転送部を、装備し、
この設定情報転送部が、前記濃淡強度情報が入力設定された状態で且つ前記特徴点入力設定部に対して前記指紋画像上の特徴点に対する表示指令が外部入力された場合に当該特徴点表示指令を前記特徴点入力設定部に転送処理する第３の転送処理機能を備えていることを特徴とした指紋特徴点入力装置。
【請求項３】
請求項２に記載の指紋特徴点入力装置において、
前記画面出力制御部は、
前記特徴点入力設定部に対する前記動作指令転送部からの特徴点表示指令を入力した場合に、当該特徴点表示指令の入力のタイミングで前記濃淡幅更新機能を稼働させて前記濃淡値調整部によって新たに設定された前記表示濃淡幅で前記指紋画像の出力表示を更新表示すると共に、前記特徴点表示指令の入力が解除された場合に前記濃淡幅固定保持機能を稼働させて前記更新表示にかかる表示濃淡幅を固定的に設定制御することを特徴とした指紋特徴点入力装置。
【請求項４】
請求項３に記載の指紋特徴点入力装置において、
前記濃淡値調整部は、前記指紋画像の濃淡の下限値について値が順次変化する複数段にわたる濃淡下限値と、前記指紋画像の濃淡の上限値について値が順次変化する複数段にわたる濃淡上限値とを記憶した濃淡値メモリを有すると共に、
この濃淡値メモリには、外部指令に応答して前記一の上限値に対して複数段の各下限値が、連続して順次選択可能な状態に格納されていることを特徴とした指紋特徴点入力装置。
【請求項５】
請求項２乃至４の何れか一つに記載の指紋特徴点入力装置において、
前記入力機器を、押しボタンスイッチである左クリック部と右クリック部とを備えたマウスにより構成し、
前記マウスの左クリック部が、当該左クリック部のクリック操作により前記特徴点入力設定部に対して特徴点表示マークの設定指令を外部入力する表示指令入力機能を有すると共に、
前記マウスの右クリック部が、当該右クリック部のクリック操作により前記濃淡値調整部に対して前記指紋画像の濃淡表示用の上限値と下限値とを、マウスの移動と共に順次選択して設定入力する濃淡表示範囲設定機能を有する構成としたことを特徴とする指紋特徴点入力装置。
【請求項６】
指紋隆線を含む指紋画像とこの指紋画像の特徴点の座標位置を指定するためのポインタとを表示画面に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置にあって、
前記ポインタが位置する指紋画像全体の濃淡強度を、外部指令に基づいて前記装置本体部の濃淡値調整部が予め装備されたメモリから濃淡上限値と濃淡下限値とから成る表示濃淡幅の範囲にて濃淡表示用として選択設定し、
次に、前記特徴点表示マークの設定表示に際しては、前記濃淡値調整部によって新たに選択設定された前記表示濃淡幅で、前記画面出力制御部が前記指紋画像の出力表示を更新表示し、
続いて、前記濃淡値調整部から前記表示濃淡幅の新たな設定情報が無い場合には当該設定された表示濃淡幅を特徴点表示入力用の表示濃淡幅として固定し保持し、
その後に、前記表示濃淡幅で固定表示された指紋画像の特徴点に、前記特徴点入力設定部が外部指令に基づいて前記特徴点表示マークを設定表示することを特徴とした指紋特徴点入力方法。
【請求項７】
指紋隆線を含む指紋画像とこの指紋画像の特徴点の座標位置を指定するためのポインタとを表示画面に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置にあって、
前記ポインタが位置する指紋画像全体の濃淡強度を、外部指令に基づいて濃淡上限値と濃淡下限値とから成る表示濃淡幅の範囲を予め別に装備されたメモリから濃淡表示用として選択し取り出す表示用濃淡値取得機能、
前記特徴点表示マークの設定表示に際しては、新たに選択された前記表示濃淡幅で、前記指紋画像全体の出力表示を更新表示する濃淡幅更新表示機能、
前記表示濃淡幅の新たな設定情報が無い場合には、当該設定された表示濃淡幅を特徴点表示入力用の表示濃淡幅として固定し保持する濃淡幅固定保持機能、
および前記表示濃淡幅で固定設定された指紋画像の特徴点に、外部指令に基づいて表示マークを設定表示する表示マーク設定処理機能、とを設け、
これらの各機能を前記装置本体部が備えているコンピュータに実現させるようにしたことを特徴とする指紋特徴点入力プログラム。
【発明の詳細な説明】
【技術分野】
【０００１】
本発明は、指紋画像内の遺留指紋に含まれる特徴点に対応する位置に特徴点表示情報を入力するための指紋特徴点表示入力装置、指紋特徴点表示入力方法、及び指紋特徴点表示入力プログラムに関する。
【背景技術】
【０００２】
指紋画像内の遺留指紋に含まれる特徴点に対して特徴点情報の設定を行う特徴点情報入力装置では、図５に示すように、不鮮明な遺留指紋が含まれた指紋画像が扱われる場合がある。【０００３】
一般に特徴点情報入力装置では、遺留指紋に含まれる特徴点の位置を入力指定する操作はオペレータにより行われる。
不鮮明な遺留指紋に対して特徴点情報の入力を行う場合、まず、オペレータは、図６に示すように、指紋画像全体の濃淡地幅調整処理を行い、遺留指紋の鮮明化を行った後、図３に示すように、特徴点情報の入力を行う。尚、ここでは、各特徴点に対して特徴点の位置、特徴点方向、および特徴点種別を含む特徴点情報が設定されている（図７）。特徴点情報としては、特徴点の位置を示すプロット入力だけを行う設定であってもよい。【０００４】
このように、指紋画像全体の鮮明化処理を行った後その画像に対して特徴点情報を入力する場合、通常、図８（Ａ）に示すように、指紋画像の領域や遺留指紋の部分によって、鮮明化に利用する最適な濃淡値幅が異なる。【０００５】
ここで、図８（Ａ）では、指紋画像における（ａ）領域は指紋隆線形状がほぼ確認できないほどに遺留指紋が不鮮明であるが、（ｂ）領域は遺留指紋における隆線形状が鮮明に表れている。尚、図８（Ａ）に示す指紋画像は、例えば上限値を２５５、下限値を１６７とする表示濃淡幅で出力表示されている。【０００６】
このような場合、オペレータは、遺留指紋における鮮明度が異なる部分毎に対応して濃淡幅（ダイナミックレンジ）を設定することにより指紋画像の鮮明化を行い、それぞれの部分領域で鮮明度が高い部分領域（画像領域）の遺留指紋に対して特徴点情報の入力を行うこととなる。【０００７】
例えば、図８（Ｂ）は、図８（Ａ）の指紋画像における濃淡値幅（ダイナミックレンジ）を「上限値２５５、下限値１６７」から「上限値２５４、下限値が２４４」へと狭める調整を行ったもので、その結果、（ｄ）領域では、は遺留指紋における隆線形状が鮮明に表れている。
一方、この調整処理の結果（ｃ）領域では、指紋隆線の一部が白く見えなくなってしまい、遺留指紋の正確な形状が把握できないほどに不鮮明な領域となってしまっている。【０００８】
更に、図８（Ｃ）は、図８（Ｂ）の指紋画像における濃淡値幅（ダイナミックレンジ）を「上限値２５５、下限値１６７」から「上限値２５４、下限値が２５１」へと狭める調整を行ったものであるが、この調整の結果その結果、（ｆ）領域では、は遺留指紋における隆線形状が鮮明に表れている。一方、この調整処理の結果（ｅ）領域では、指紋隆線の一部が白く見えなくなってしまい、遺留指紋の正確な形状が把握できないほどに不鮮明な領域となってしまっている。【０００９】
このように、指紋画像の鮮明化を行うにあたっては、各画像領域について画像の鮮明化処理と特徴点の入力処理とを少なくとも２回以上繰り返し行う必要があり、特徴点を多量に含む指紋画像や、多量の指紋画像に対して特徴点情報を設定する場合には、特徴点入力操作にかかる操作工数や操作時間が膨大になってしまうといった不都合がある。【００１０】
特に、上述のように、指紋画像における濃淡値幅の調整を行うために指紋画像から画像のヒストグラムを示すグラフをアクティブにして画面遷移を行い、このグラフ上で濃淡値幅を調整した後、再びこの濃淡値幅が反映された指紋画像画面をアクティブにして、特徴点情報のプロットを行うといった動作工程は、工数が多く、オペレータにとって煩わしいものであり、端末操作時間が膨大となってしまうといった不都合がある。【００１１】
これに対する関連技術として、特徴点についての情報を含む指紋データを指紋画像毎に作成し、複数の指紋データ相互間における特徴点の対応関係から同一の特徴点である共通特徴点を特定することにより、特徴点の位置、特徴点方向などの特徴点情報を設定し、この特徴点情報に基づき作成した合成指紋データに基づいて指紋照合を行う指紋照合システムが知られている（特許文献１）。
【先行技術文献】
【特許文献】
【００１２】
【特許文献１】特開２００１−３４４６０４号公報
【発明の概要】
【発明が解決しようとする課題】
【００１３】
しかしながら、上記特許文献１に開示された関連技術では、その開示内容で明らかのように、不鮮明な遺留指紋を含んだ指紋画像に対しては、適用することができないという不都合があり、オペレータによる特徴点情報の入力操作を常に必要とする、という煩わしさがあった。【００１４】
［発明の目的］
本発明は、上記関連技術の有する不都合を改善し、指紋画像における各特徴点位置に対するオペレータによる表示操作を迅速に簡易に行うことを可能とする指紋特徴点表示入力装置、指紋特徴点表示入力方法、及び指紋特徴点表示入力プログラムを提供することを、その目的とする。
【課題を解決するための手段】
【００１５】
上記目的を達成するため、本発明に係る指紋特徴点表示入力装置は、指紋隆線を含む指紋画像とこの指紋画像の特徴点の座標位置を指定するためのポインタとを表示画面（モニタ）に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置であって、
前記装置本体部は、前記ポインタが位置する指紋画像全体の濃淡強度を、外部指令に基づいて濃淡上限値と濃淡下限値とから成る表示濃淡幅の範囲にて濃淡調整用として設定する濃淡値調整部を備えると共に、
前記画面出力制御部は、前記特徴点表示マークの設定表示に際し、前記濃淡値調整部によって新たに設定された前記表示濃淡幅で前記指紋画像の出力表示を更新表示する濃淡幅更新機能と、前記濃淡値調整部から前記表示濃淡幅の新たな設定情報が無い場合には当該設定された表示濃淡幅を特徴点表示入力用の表示濃淡幅として固定し保持する濃淡幅固定保持機能とを備えていることを特徴としている。【００１６】
又、上記目的を達成するため、本発明にかかる指紋特徴点入力方法は、指紋隆線を含む指紋画像とこの指紋画像の特徴点の座標位置を指定するためのポインタとを表示画面（モニタ）に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置にあって、
前記ポインタが位置する指紋画像全体の濃淡強度を、外部指令に基づいて前記装置本体部の濃淡値調整部が予め装備されたメモリから濃淡上限値と濃淡下限値とから成る表示濃淡幅の範囲にて濃淡表示用として選択設定し（濃淡強度選択設定工程）、
次に、前記特徴点表示マークの設定表示に際しては、前記濃淡値調整部によって新たに選択設定された前記表示濃淡幅で、前記画面出力制御部が前記指紋画像の出力表示を更新表示し（濃淡幅更新処理工程）、
続いて、前記濃淡値調整部から前記表示濃淡幅の新たな設定情報が無い場合には当該設定された表示濃淡幅を特徴点表示入力用の表示濃淡幅として固定し保持し（濃淡幅固定保持工程）、
その後に、前記表示濃淡幅で固定表示された指紋画像の特徴点に、前記特徴点入力設定部が外部指令に基づいて前記特徴点表示マークを設定表示する（表示マーク設定表示工程）ことを特徴としている。【００１７】
更に、上記目的を達成するため、本発明にかかる指紋特徴点入力プログラムは、指紋隆線を含む指紋画像とこの指紋画像の特徴点の座標位置を指定するためのポインタとを表示画面（モニタ）に出力表示する画像出力制御部と、前記ポインタにより指定された前記指紋画像上の特徴点に特徴点表示マークを外部指令に基づいて設定表示する特徴点入力設定部とを備えた装置本体部を有する指紋特徴点表示入力装置にあって、
前記ポインタが位置する指紋画像全体の濃淡強度を、外部指令に基づいて濃淡上限値と濃淡下限値とから成る表示濃淡幅の範囲を予め別に装備されたメモリから濃淡表示用として選択し取り出す表示用濃淡値取得機能、
前記特徴点表示マークの設定表示に際しては、新たに選択された前記表示濃淡幅で、前記指紋画像全体の出力表示を更新表示する濃淡幅更新表示機能、
前記表示濃淡幅の新たな設定情報が無い場合には、当該設定された表示濃淡幅を特徴点表示入力用の表示濃淡幅として固定し保持する濃淡幅固定保持機能、
および前記表示濃淡幅で固定設定された指紋画像の特徴点に、外部指令に基づいて表示マークを設定表示する表示マーク設定処理機能、とを設け、
これらの各機能を前記装置本体部が備えているコンピュータに実現させるようにしたことを特徴としている。
【発明の効果】
【００１８】
本発明は、以上のように構成したので、これによると、指紋画像の表示画面におけるポインタの位置座標を、可変設定可能な濃淡値幅の濃淡上限値および下限値にて濃淡表示する画像出力制御部を備えたので、指紋画像の各特徴点位置に対するオペレータによる表示入力操作を迅速に且つ簡易に行うことを可能とした指紋特徴点表示入力装置、指紋特徴点表示入力方法、及び指紋特徴点表示入力プログラムを提供することができる。
【図面の簡単な説明】
【００１９】
【図１】本実施形態にかかる指紋特徴点入力装置の一例を示すブロック図である。
【図２】本実施形態にかかる指紋特徴点入力装置で遺留指紋画像上にマウスポインタの位置を基準値として仮想的に定義された濃淡下値、濃淡上値、および有効範囲の一例を示す説明図である。
【図３】図３（Ａ）、図３（Ｂ）、図３（Ｃ）は、それぞれマウスポインタの位置座標に基づき設定された表示濃淡値幅を用いて鮮明化処理がなされた指紋画像を示した説明図である。
【図４】図１に開示した指紋特徴点入力装置における動作処理ステップを示すフローチャートである。
【図５】図１に開示した指紋特徴点入力装置による特徴点情報の入力対象である遺留指紋画像の一例を示す説明図である。
【図６】オペレータにより入力された濃淡値幅に基づき図５に示した遺留指紋画像に対して濃淡値幅の調整処理（鮮明化処理）を行った結果を示す説明図である。
【図７】図６の遺留指紋画像に対して特徴点情報を入力した場合の一例を示す説明図である。
【図８】図８（Ａ）、図８（Ｂ）、図８（Ｃ）は、それぞれオペレータにより入力された濃淡値幅に基づき図１に示した遺留指紋画像に対して濃淡値幅の調整処理（鮮明化処理）を行った結果を示す説明図である。
【発明を実施するための形態】
【００２０】
［実施形態］
以下、本発明の実施形態を、添付図面に基づいて説明する。
【００２１】
最初に、本実施形態における指紋特徴点入力装置１の基本的な構成内容を説明し、その後に具体的な内容を詳述する。
まず、本実施形態における指紋特徴点入力装置１は、図１に示すように、外部から入力された指紋画像をデータ表示手段であるモニタ３に対して出力表示する画像出力制御部１１と、入力機器（例えばマウス）２からオペレータにより入力された入力データに基づき上記指紋画像上の対応する座標位置の特徴点を示す特徴点位置情報を入力する特徴点入力設定部１２と、入力機器２による入力操作内容に対応して画像出力制御部１１により出力表示される指紋画像の表示濃淡値幅（ダイナミックレンジ）を設定する濃淡値幅調整部１３と、入力機器２から設定入力される設定内容を画像出力制御部１１、特徴点入力設定部１２、及び濃淡値幅調整部１３のそれぞれに外部からの動作指令を含む入力情報があった場合にこれを対応する各構成部分に転送する設定情報転送部１４とを備えている。
【００２２】
ここで、本実施形態では、上記画像出力制御部１１、特徴点入力設定部１２、濃淡値幅調整部１３、および設定情報転送部１４とにより、装置本体部１０が構成されている。この装置本体部１０には、予め入力された指紋画像を記憶保持する記憶部１５が併設されている。また、符号２１は他の入力機器としてのキーボードを示す。又、指紋画像については、本実施形態では、実際の遺留指紋画像Ａが使用されている。
【００２３】
尚、本実施形態における特徴点情報入力装置１は、全体的には、メモリ（フラッシュメモリ、ハードディスクドライブ）などの記憶部１５と当該記憶部１５に予め設定されたプログラムの実行処理を行うＣＰＵ（主制御部１０Ａ）を内部構成として備えたコンピュータ装置であって、前述した装置本体部１０を主要部とし、他に入力機器としてのマウス２やキーボード２１と、処理内容を出力するための表示画面（データ表示手段）としてのモニタ３とを備えている。
【００２４】
この指紋特徴点入力装置１が備えている入力機器である前述したマウス２は、左クリック部２ａである左ボタンと、右クリック部２ｂである右ボタンとを備えている（以下「入力機器２」を「マウス２」という）。
【００２５】
ここで、上記マウス２の左クリック部２ａは、当該左クリック部２ａのクリック操作により前記特徴点入力設定部１２に対して特徴点表示マークの特徴点表示指令ＣＬ  を外部入力する表示指令入力機能を備えている。又、上記マウス２の右クリック部２ｂは、当該右クリック部２ｂのクリック操作により前記濃淡値調整部１３に対して前記指紋画像の濃淡表示用の上限値と下限値とを、マウス２の移動と共に順次選択し濃淡強度情報ＣＲ  として設定入力する濃淡表示範囲設定機能を備えている。この濃淡強度情報ＣＲ  は、濃淡値調整部１３に対する起動信号をも兼ねたものとなっている。
【００２６】
又、このマウス２の左右の各クリック部２ａ、２ｂから入力される各設定情報を転送する前述した設定情報転送部１４は、前記指紋画像Ａ上におけるマウスポインタ（マウス２によって表示画面上に設定されるポインタ／矢印のこと）の移動先の座標位置情報がマウス２の移動量に対応して設定入力された場合にこれを前記画像出力制御部１１へ送り込む第１の転送処理機能と、前記画像表示用の濃淡強度の上限値と下限値が特定された表示濃淡幅にかかる濃淡強度情報が前記マウス２の右クリック部２ｂを介して設定入力された場合にこれを前記濃淡値調整部１３へ送り込む第２の転送処理機能とを備えている。
【００２７】
更に、この設定情報転送部１４は、前記濃淡強度情報が前記マウス２の右クリック部２ｂを介して設定入力された状態で且つ前記特徴点入力設定部１２に対して前記指紋画像Ａ上の特徴点に対する特徴点表示指令ＣＬ  がマウス２の左クリック２ａを介して設定入力された場合に当該特徴点表示指令ＣＬ  を前記特徴点入力設定部１２に転送処理する第３の転送処理機能を備えている。
【００２８】
ここで、画像出力制御部１１は、予め入力指紋画像をモニタ３に出力表示すると共にその画像上にマウスポインタを出力表示する。
又、この画面出力制御部１１は、濃淡値調整部１３により変換される濃淡上限値（濃淡上値）および下限値（濃淡下値）を上限値および下限値とした表示濃淡幅（ダイナミックレンジ）でモニタ３に対する指紋画像の出力表示を行う機能を備えている。
【００２９】
更に、この画面出力制御部１１は、モニタ３に出力表示した指紋画像のダイナミックレンジを、濃淡値調整部１３で新たに通知された濃淡上限値および下限値により決定される表示濃淡幅で更新して表示する濃淡幅更新表示機能（濃淡幅更新機能）１１Ａを備えている。また、この画面出力制御部１１は、マウス２から予め設定された表示濃淡幅の固定用指示情報を取得した場合に、その時点で、モニタ３に出力表示している表示濃淡幅にかかる表示データを固定設定する濃淡幅固定設定機能１１Ｂを備えている。
【００３０】
特徴点入力設定部１２は、本実施形態では、マウス２の左クリック部２ａのクリック操作によって一定の情報（特徴点表示指令ＣＬ  ）が入力された場合に、画像出力制御部１１を介してモニタ３の表示画面上の指紋画像に対して特徴点の表示入力が行われるように構成されている。
また、この特徴点入力設定部１２は、画面出力制御部１１により表示濃淡幅が固定設定されているときに指紋画像に対して特徴点の表示設定入力が行われるようになっている（固定濃淡幅特徴点入力機能）。
なお、固定濃淡幅特徴点入力機能は、上述のように、オペレータによるマウス２の左クリック部２ａのクリック操作（左クリック）により行われる。
この場合、特徴点入力設定部１２は、特徴点情報として特徴点の位置情報に加えて、特徴点方向や特徴点種別を入力可能に構成したものであってもよい。
【００３１】
又、本実施形態では、特徴点入力設定部１２は、マウス２における左クリックが行われた場合に、画面上におけるポインタの位置に対応して特徴点の位置を示す情報（特徴点位置情報／特徴点マーク）が記憶保持される設定となっている。
【００３２】
一方、濃淡値調整部１３は、マウスポインタの表示位置座標を濃淡上限値および下限値に変換すると共に、この変換された濃淡上限値および下限値を前述した画像出力制御部１１に通知する濃淡値通知機能１３Ｂを備えている。
【００３３】
以下、画像出力制御部１１、特徴点入力設定部１２、および濃淡値調整部１３の動作機能について、更に詳説する。
【００３４】
特徴点入力設定部１２は、マウス２の左クリック部２ａがクリックされた場合（左クリック）に特徴点表示情報の入力を行い（特徴点表示入力機能）、これを受けて画面出力制御部１１が（図７に示すように）モニタ３の画面上に特徴点を示す描画を表示制御する（特徴点が表示入力される）。
【００３５】
この図７に示すように、モニタ３に出力された指紋画像Ａ上には、マウスの移動量に対応して、そのポイント位置が変化するマウスポインタが表示されている。この場合のマウス操作は、オペレータによって実行されるようになっている。
【００３６】
一方、濃淡値幅調整部１３は、マウス２の右クリック部２ｂ（又は、予め設定されたキーボード２１上の所定のキーでもよい）をオペレータが押下したことを検知したときに、濃淡値幅（ダイナミックレンジ）の調整機能を起動する濃淡値幅調整機能１３Ｃを備えている。記号ＣＲ  は、オペレータによる前記右クリック部２ｂの押下操作（右クリック）によって出力される濃淡値幅調整部１３用の起動信号としての機能も兼ねたものとなっている。
【００３７】
このとき、濃淡値幅調整部１３は、右クリック部２ｂが押下された（右クリックされた）ときの画面上の位置を基準位置として、この基準位置からモニタ画面上の水平方向および垂直方向に一定長の座標軸をもつ領域（有効範囲領域Ｐ）を設定する。
【００３８】
この座標軸をもつ有効範囲領域Ｐは、具体的には、例えば図２に示すように、直角三角形の領域を示す。
この有効範囲領域Ｐは、具体的には、基準位置をゼロとして水平広域方向に例えば２５４までの座標値とする横軸と、基準位置を例えば２５５として垂直方向に０までの座標値とする縦軸、および縦軸の下端と横軸の右端を両端とする直線と、からなる直角三角形の内部（境界を含む）をその領域とする。又、この領域内では、濃淡下値および濃淡上値それぞれの値は、「濃淡下値＜濃淡上値」を満たすものとする。
【００３９】
尚、図２に示した有効範囲領域Ｐ（および有効範囲領域Ｐの座標を示す数値など）は、画面上の指紋画像に仮想的に重ねて設定されたレイヤであり、指紋画像Ａが出力された実際のモニタ画面（モニタ３）には、表示しないものとする。
【００４０】
濃淡値幅調整部１３は、マウス２における右クリック部２ｂからの信号（右クリック）を検出したときに、その時点でのポインタの位置を基準位置とする有効範囲を設定した後（図２）、モニタ画面上のポインタを有効範囲Ｐ内で移動する操作がマウス２における右ドラッグ状態で行われた場合に、その有効範囲Ｐ内における座標情報を濃淡上値および濃淡下値として画像出力制御部１１に通知する機能を備えている。
【００４１】
ここで、上記濃淡値調整部１３は、前述した指紋画像Ａの濃淡の下限値について値が順次変化する複数段にわたる濃淡下限値と、前記指紋画像Ａの濃淡の上限値について値が順次変化する複数段にわたる濃淡上限値とを記憶した濃淡値メモリ１３Ａを備えている。
この濃淡値メモリ１３Ａには、外部指令に応答して前記一の上限値に対して複数段の各下限値が、連続して順次選択可能な状態に格納されている。
【００４２】
そして、画像出力制御部１１は、上記濃淡値幅調整部１３から送り込まれる濃淡上値および濃淡下値を上限値および下限値とするダイナミックレンジで、モニタ３に出力する指紋画像Ａを構成する各ポイント全体について、その濃淡値を表示制御する機能を備えている。
【００４３】
即ち、オペレータがマウス２を右ドラッグで動かしてモニタ３に表示されたマウスポインタを有効範囲Ｐで前後左右に移動させると、これにより入力データ（位置情報）を変化し、当該変化に対応して指紋画像全体の濃淡値のダイナミックレンジを、濃淡値幅調整部１３が可変出力することができるように構成されている。
【００４４】
具体的には、マウス２が右ドラッグ状態で、モニタ３の表示画面上のポインタ（矢印）が有効範囲Ｐ内を移動したときに、濃淡値幅調整部１３は、マウスポインタ（図２における白矢印）の位置座標（有効範囲Ｐ内における位置座標）に対応した濃淡上値および下値それぞれを決定し、この濃淡上値および下値を画像出力部１１に送信する。
【００４５】
画像出力制御部１１は、濃淡上値および下値を上限値および下限値とするダイナミックレンジ（濃淡幅）で指紋画像をモニタ３に対して出力表示する。
【００４６】
これにより、オペレータは、右ボタン（右クリック部２ｂ）を押下した状態でマウス２を動かす（右ドラッグする）ことで、モニタ３に出力表示される遺留指紋画像の表示ダイナミックレンジ（表示濃淡範囲）を調整することができる。
【００４７】
また、画像出力制御部１１は、右ドラッグ状態が解除されたこと（右ボタン押下状態の解除）を検知したときに、その時点でのモニタ３に対して出力表示している指紋画像の表示ダイナミックレンジ（表示濃淡値）を固定する。
【００４８】
即ち、右ドラッグ状態が解除されたことにより、濃淡値幅調整部１３から画像出力制御部１１には濃淡上値および下値が送り込まれなくなるので、モニタ３に出力された指紋画像の表示ダイナミックレンジは更新されない固定状態となる。
【００４９】
この場合、前記画面出力制御部１１は、前述した特徴点入力設定部１２に対する前記動作指令転送部１４からの特徴点表示指令を入力した場合に、当該特徴点表示指令の入力のタイミングで前記濃淡幅更新機能１１Ａを稼働させて前記濃淡値調整部１３によって新たに設定された前記表示濃淡幅で前記指紋画像の出力表示を更新表示すると共に、前記特徴点表示指令の入力が解除された場合に、前記濃淡幅固定保持機能１１Ｂを稼働させて前記更新表示にかかる表示濃淡幅を固定的に設定制御する。
【００５０】
そして、この場合、オペレータは、指紋画像の表示濃淡値が固定された状態でマウス２を左クリック部２ａを押下操作（左クリック）することで、指紋画像に対して特徴点入力を行うことができる。
【００５１】
これにより、例えば、モニタ３に表示された指紋画像におけるマウスポインタの近傍領域における遺留指紋Ａが最も鮮明化された状態で表示濃淡値を固定すれば（即ち、右ドラッグ状態を解除すれば）、オペレータは自己にとって最も視認性の高い遺留指紋の表示状態で特徴点のプロット操作を行うことができる。
【００５２】
尚、オペレータは、上述のように、左クリックで特徴点プロットを行う。また、上述のように、濃淡値幅調整機能１３Ｃは右ボタンの押下により起動され、右ドラッグ（右クリック部２ｂの押下状態）の解除により表示濃淡値幅が固定される。
このため、オペレータは、常時左クリックが可能な状態（指を左ボタンに置いた状態）で右ドラッグすることにより画面上ポインタを移動させ、これにより、濃淡値幅の調整操作を行うことができる。
【００５３】
通常、遺留指紋などを含む指紋画像では、指紋の鮮明度が画像領域により異なるため、最適な濃淡値幅は各画像領域それぞれで異なるが、本実施形態では、モニタ画面上のポインタの移動先領域それぞれで、オペレータにとって最も視認性の高いダイナミックレンジで指紋画像の表示を行うことができ、このため、各画像領域それぞれで最適に鮮明化された遺留指紋に対して特徴点入力を行うことが可能となる。
【００５４】
また、画像出力制御部１１は、モニタ３に出力表示している指紋画像の表示濃淡幅が固定された状態のときに、マウス２における右クリック部２ｂからの押下信号（右クリック）を検出した場合には、表示濃淡幅が固定された状態を解除し、表示濃淡幅が未調整な状態で指紋画像を出力表示する状態に設定する。
【００５５】
尚、表示濃淡幅の固定設定状態が解除された場合に、画像出力制御手段１１は、モニタ３に表示した指紋画像が固定設定状態にあったときの表示濃淡幅を初期表示濃淡幅として、濃淡幅更新を更新するものとする。
これにより、固定設定状態が解除された場合にも、指紋画像の表示ダイナミックレンジが急激に変動しないように表示することができる。ここで、固定設定状態が解除されたときに指紋画像の表示ダイナミックレンジが０―２５５の初期濃淡幅に戻ってしまうと、表示される指紋画像が急激に暗くなったり、明るくなったりするため、入力操作中のオペレータの目に負担がかかってしまうといったことが生じ得る。
【００５６】
ここで、マウスポインタが有効範囲内を右ドラッグ状態で移動したときの指紋画像における濃淡値幅の変化状態について、図３（Ａ）、（Ｂ）、（Ｃ）に基づいて具体的に説明する。
【００５７】
図３（Ａ）、（Ｂ）、（Ｃ）は、それぞれ有効範囲内におけるポインタ座標位置に対応した濃淡上下値（濃淡幅）に基づき、この濃淡上下値で鮮明化処理された指紋画像を例示したものである。
尚、図３（Ａ）、（Ｂ）、（Ｃ）内における矢印は、前述したようにポインタを示し、図３（Ａ）のマウスポインタの位置座標は有効範囲Ｐ内における（１６７、２４４）であることを示す。また、図３（Ｂ）のマウスポインタの位置座標は有効範囲Ｐ内における（２４１、２５４）、図３（Ｃ）のマウスポインタの位置座標は有効範囲Ｐ内における（２４９、２５５）であることを示す。
【００５８】
ここで、図３（Ａ）では、濃淡幅（ダイナミックレンジ）が１６７−２４４に設定される。ここでは、遺留指紋の背景画像が顕在化しているため、遺留指紋が不鮮明となっている。
図３（Ｂ）では、濃淡幅が２４１−２５４に設定され、ポインタ近辺領域では図３（Ａ）に比べて遺留指紋の隆線形状が鮮明化している。
更に、図３（Ｃ）では、濃淡幅が２４９−２５５に設定され、背景画像である文字列「５８ｂ」を含む領域では図３（Ａ）（Ｂ）に比べて遺留指紋の隆線形状が鮮明化している。一方、図３（Ｃ）におけるポインタの近辺領域では図３（Ｂ）に比べて遺留指紋の隆線形状が白く見えない部分が出てきてしまっている。
【００５９】
これにより、背景画像等の影響で隆線形状が潜在化して指紋隆線が見え難い領域においても、オペレータはマウス２を動かす（ここでは、右ドラッグする）という入力動作を行うことで、指紋隆線を顕在化するための適切なダイナミックレンジを設定することができる。
【００６０】
ここで、オペレータは操作画面を遷移させたり、プロット入力用のボタン（マウスの左ボタン）から指を離したりすることなく、遺留指紋を鮮明化させることができるので、鮮明化した遺留指紋に対して入力操作（具体的にはマウス２を左クリックする）を行うことにより、迅速に、且つ簡易に特徴点情報の入力を行うことができる。
【００６１】
以上のように、本実施形態である指紋特徴点入力装置１では、オペレータがモニタ３に出力された指紋画像に対してマウス２を利用して特徴点位置情報の入力を行うと同時に、右ドラッグ状態のポインタの座標位置と指紋画像の濃淡上下値とを対応させることによって、プロット操作を即座に行える状態（つまり、左ボタンに指をおいた状態、左クリック可能な状態）のままで、画面上のポインタの位置に適合した指紋画像の鮮明化を行うことが可能となる。
【００６２】
更に、オペレータは右ボタンを押下した状態でポインタを移動させる（右ドラッグする）ことにより、指紋画像の出力濃淡値幅を調整することができるので、オペレータは、ポインタの位置周辺の画像領域が自己にとって最も鮮明化した表示状態（即ち、オペレータにとって最も視認性の良い状態で）特徴点プロット操作を行うことが可能となる。
【００６３】
これにより、特徴点入力操作の迅速化、並びにオペレータによる特徴点情報の入力操作に係る工数や手間を有効に軽減することが可能となる。
【００６４】
［実施形態の動作説明］
次に、上記実施形態の動作内容について、その基本動作及び全体的動作を説明する。
まず、最初に、表示画面（モニタ）３に出力表示されたマウスポインタが位置する指紋画像全体の濃淡強度を、外部指令に基づいて前記装置本体部１０の濃淡値調整部１３が予め装備されたメモリから濃淡上限値と濃淡下限値とから成る表示濃淡幅の範囲にて濃淡表示用として選択設定する（濃淡強度選択設定工程）。
そして、濃度値幅調整部１３は、マウスポインタの表示位置座標を濃淡上限値および下限値に変換すると共に当該濃淡上限値および下限値を、画像出力制御部１１に通知する（濃淡値調整工程）。
【００６５】
次に、前記特徴点表示マークの設定表示に際しては、前記濃淡値調整部１３によって新たに選択設定され送られてきた前記表示濃淡幅で、前記画面出力制御部１１が前記指紋画像の出力表示を更新表示する（濃淡幅更新処理工程）。
【００６６】
続いて、前記濃淡値調整部１３から前記表示濃淡幅の新たな設定情報が無い場合には当該設定された表示濃淡幅を特徴点表示入力用の表示濃淡幅として固定し保持し（濃淡幅固定保持工程）、
その後に、前記表示濃淡幅で固定表示された指紋画像の特徴点に、前記特徴点入力設定部１２が外部指令に基づいて前記特徴点表示マークを設定表示する（固定濃淡幅特徴点入力工程／表示マーク設定表示工程）。
【００６７】
以下、これを図４のフローチャートに基づいて更に詳説する。
まず、モニタ３に出力された遺留指紋画像Ａ上でマウスポインタが表示されているものとする。ここで、特徴点入力設定部１２が、オペレータのマウス操作（左クリック）に応じて特徴点情報の入力を行い、モニタ３の画面上に特徴点を示す描画がなされる（プロットされる）ものとする（図４：ステップＳ１０１）。
【００６８】
濃淡値幅調整部１３は、マウス２の右ボタン（または、予め設定されたあるキー）をオペレータが押下したことを検知したときに（図４：ステップＳ１０２）、濃淡値幅（ダイナミックレンジ）の調整機能を起動する（濃淡値幅調整起動機能）。
【００６９】
このとき、濃淡値幅調整部１３は、右ボタン押下時（右クリックされた）の画面上の位置を基準位置として、この基準位置からモニタ画面上の水平方向および垂直方向に一定長の座標軸をもつ領域（有効範囲領域）を設定する（図４：ステップＳ１０３）。
【００７０】
この有効範囲は、基準位置をゼロとして水平広域方向に２５４までの座標値とする縦軸と、基準位置を２５５として垂直方向に０までの座標値とする横軸、および縦軸の下端と横軸の右端とを両端とする直線からなる直角三角形の内部（境界を含む）を、その領域とする。尚、この領域では、濃淡下値及び濃淡上値それぞれの値は、「濃淡下値＜濃淡上値」を満たすものとする。
【００７１】
次いで、モニタ３の画面上のポインタを有効範囲内で移動する操作がマウス２における右ドラッグ状態で行われた場合、濃淡値幅調整部１３は、有効範囲内における座標情報を濃淡上値および濃淡下値として画像出力制御部１１に通知する（図４：ステップＳ１０４）。
【００７２】
ここで、画像出力制御部１１は、濃淡値幅調整部１３から送り込まれた濃淡上値および濃淡下値を上限値および下限値とするダイナミックレンジで指紋画像をモニタ３に出力表示する（図４：ステップＳ１０５）。
【００７３】
これにより、オペレータはマウス２を右ドラッグで動かしことでモニタ３に表示されたマウスポインタを有効範囲Ｐ内で移動させることにより、指紋画像全体のダイナミックレンジを変化させることができる。
【００７４】
ここで、マウス２が右ドラッグ状態で、モニタ３の表示画面上のポインタ（矢印）が有効範囲内を移動したときに（図４：ステップＳ１０４）、濃淡値幅調整部１３は、マウスポインタ（図２における白矢印）の位置座標（有効範囲Ｐ内における位置座標）に対応した濃淡上値および下値それぞれを決定し、この濃淡上値および下値を画像出力部１１に送信する。
次いで、画像出力制御部１１は、濃淡上値および下値を上限値および下限値とするダイナミックレンジ（濃淡幅）で指紋画像をモニタ３に対して出力表示する（図４：ステップＳ１０５）。
【００７５】
これにより、オペレータは、右ボタンを押下した状態でマウス２の動かす（右ドラッグする）ことで、モニタ３に出力表示される遺留指紋画像の表示ダイナミックレンジ（表示濃淡範囲）を調整することができる（図４：ステップＳ１０６）。
【００７６】
また、画像出力制御部１１は、右ドラッグ状態が解除されたこと（右ボタン押下状態の解除）を検知したときに、その時点でのモニタ３に対して出力表示している指紋画像の表示ダイナミックレンジ（表示濃淡値）を固定する（図４：ステップＳ１０７）。
【００７７】
ここで、オペレータは、指紋画像の表示濃淡値が固定された状態でマウス２を左クリックすることで指紋画像に対して特徴点入力を行うことができる。
【００７８】
例えば、モニタ３に表示された指紋画像におけるマウスポインタの近傍領域における遺留指紋が最も鮮明化された状態で表示濃淡値を固定すれば（即ち、右ドラッグ状態を解除すれば）、オペレータは自己にとって最も視認性の高い遺留指紋の表示状態で特徴点のプロット操作を行うことができる。
【００７９】
そして、オペレータは、上述のように、左クリックで特徴点プロットを行う（図４：ステップＳ１０８）。
【００８０】
ここで、上記濃淡強度選択設定工程、濃淡値調整工程、濃淡幅更新処理工程、濃淡幅固定保持工程、固定濃淡幅特徴点入力工程／表示マーク設定表示工程、およびその他の各動作工程については、その実行内容をプログラム化し、前記装置本体部１０画備えているコンピュータ又は他のコンピュータに実行させるように構成してもよい。
この場合、本プログラムは、非一時的な記憶媒体、例えば、ＤＶＤ、ＣＤ、フラッシュメモリなどに記録されてもよい。そして又、本プログラムは、記録媒体からコンピュータによって読み出され、実行される。
【００８１】
以上のように、本実施形態の特徴点入力装置１では、オペレータは、常時左クリックが可能な状態（指を左ボタンに置いた状態）で右ドラッグすることにより画面上ポインタを移動させ、これにより、濃淡値幅の調整操作を行うことができる。
これにより、オペレータは特徴点の入力を行いつつ、（画面遷移等を行うことなく）、遺留指紋が含まれる画像（慰留指紋画像）における遺留指紋の鮮明化を行うことが可能となり、特徴点の入力操作にかかる手間や時間を有効に軽減することが可能となる。また、オペレータによる遺留指紋画像に対する特徴点入力操作を有効に迅速化することが可能となる。
【００８２】
ここで、上述した本実施形態については、その新規な技術的内容の要点をまとめると、以下のようになる。
尚、上記実施形態の一部または全部は、新規な技術として以下のようにまとめられるが、本発明は必ずしもこれに限定されるものではない。
【００８３】
〔付記１〕
指紋隆線を含む指紋画像とこの指紋画像の特徴点の座標位置を指定するためのポインタとを表示画面（モニタ）３に出力表示する画像出力制御部１１と、前記ポインタにより指定された前記指紋画像上の特徴点に特徴点表示マークを外部指令に基づいて設定表示する特徴点入力設定部１２とを備えた装置本体部１０を有する指紋特徴点表示入力装置であって、
前記装置本体部１０は、前記ポインタが位置する指紋画像全体の濃淡強度を、外部指令に基づいて濃淡上限値と濃淡下限値とから成る表示濃淡幅の範囲にて濃淡調整用として設定する濃淡値調整部１３を備えると共に、
前記画面出力制御部１１は、
前記特徴点表示マークの設定表示に際し、前記濃淡値調整部１３によって新たに設定された前記表示濃淡幅で前記指紋画像の出力表示を更新表示する濃淡幅更新機能１１Ａと、前記濃淡値調整部１３から前記表示濃淡幅の新たな設定情報が無い場合には当該設定された表示濃淡幅を特徴点表示入力用の表示濃淡幅として固定し保持する濃淡幅固定保持機能１１Ｂとを備えていることを特徴とした指紋特徴点入力装置。
【００８４】
〔付記２〕
付記１に記載の指紋特徴点入力装置において、
前記装置本体部１０は、前記指紋画像上におけるポインタの移動先の座標位置情報が入力機器（例えばマウス）を介して外部入力された場合にこれを前記画像出力制御部１１へ送り込む第１の転送処理機能と、前記画像表示用の濃淡強度の上限値と下限値が特定された表示濃淡幅にかかる濃淡強度情報が前記入力機器（例えばマウス）を介して設定された場合にこれを前記濃淡値調整部へ送り込む第２の転送処理機能とを備えた設定情報転送部１４を、装備し、
この設定情報転送部１４が、前記濃淡強度情報が入力設定された状態で且つ前記特徴点入力設定部１２に対して前記指紋画像上の特徴点に対する表示指令が（例えばマウス又はキーボードによって）外部入力された場合に当該特徴点表示指令を前記特徴点入力設定部１２に転送処理する第３の転送処理機能を備えていることを特徴とした指紋特徴点入力装置。
【００８５】
〔付記３〕
付記２に記載の指紋特徴点入力装置において、
前記画面出力制御部１１は、
前記特徴点入力設定部に対する前記動作指令転送部１４からの特徴点表示指令を入力した場合に、当該特徴点表示指令の入力のタイミングで前記濃淡幅更新機能１１Ａを稼働させて前記濃淡値調整部１３によって新たに設定された前記表示濃淡幅で前記指紋画像の出力表示を更新表示すると共に、前記特徴点表示指令の入力が解除された場合に前記濃淡幅固定保持機能１１Ｂを稼働させて前記更新表示にかかる表示濃淡幅を固定的に設定制御することを特徴とした指紋特徴点入力装置。
【００８６】
〔付記４〕
付記３に記載の指紋特徴点入力装置において、
前記濃淡値調整部１３は、前記指紋画像の濃淡の下限値について値が順次変化する複数段にわたる濃淡下限値と、前記指紋画像の濃淡の上限値について値が順次変化する複数段にわたる濃淡上限値とを記憶した濃淡値メモリ１３Ａを有すると共に、
この濃淡値メモリ１３Ａには、外部指令に応答して前記一の上限値に対して複数段の各下限値が、連続して順次選択可能な状態に格納されていることを特徴とした指紋特徴点入力装置。
【００８７】
〔付記５〕
付記２乃至４の何れか一つに記載の指紋特徴点入力装置において、
前記入力機器を、押しボタンスイッチである左クリック部２ａと右クリック部２ｂとを備えたマウス２により構成し、
前記マウス２の左クリック部２ａが、当該左クリック部２ｂのクリック操作により前記特徴点入力設定部１２に対して特徴点表示マークの設定指令を外部入力する表示指令入力機能２Ａを有すると共に、
前記マウスの右クリック部が、当該右クリック部のクリック操作により前記濃淡値調整部１３に対して前記指紋画像の濃淡表示用の上限値と下限値とを、マウスの移動と共に順次選択して設定入力する濃淡表示範囲設定機能２Ｂを有する構成としたことを特徴とする指紋特徴点入力装置。
【００８８】
〔付記６〕（方法の発明）
指紋隆線を含む指紋画像とこの指紋画像の特徴点の座標位置を指定するためのポインタとを表示画面（モニタ）３に出力表示する画像出力制御部１１と、前記ポインタにより指定された前記指紋画像上の特徴点に特徴点表示マークを外部指令に基づいて設定表示する特徴点入力設定部１２とを備えた装置本体部１０を有する指紋特徴点表示入力装置にあって、
前記ポインタが位置する指紋画像全体の濃淡強度を、外部指令に基づいて前記装置本体部１０の濃淡値調整部１３が予め装備されたメモリから濃淡上限値と濃淡下限値とから成る表示濃淡幅の範囲にて濃淡表示用として選択設定し（濃淡強度選択設定工程）、
次に、前記特徴点表示マークの設定表示に際しては、前記濃淡値調整部１３によって新たに選択設定された前記表示濃淡幅で、前記画面出力制御部１１が前記指紋画像の出力表示を更新表示し（濃淡幅更新処理工程）、
続いて、前記濃淡値調整部１３から前記表示濃淡幅の新たな設定情報が無い場合には当該設定された表示濃淡幅を特徴点表示入力用の表示濃淡幅として固定し保持し（濃淡幅固定保持工程）、
その後に、前記表示濃淡幅で固定表示された指紋画像の特徴点に、前記特徴点入力設定部１２が外部指令に基づいて前記特徴点表示マークを設定表示すること（表示マーク設定表示工程）を特徴とした指紋特徴点入力方法。
【００８９】
〔付記７〕（プログラム発明）
指紋隆線を含む指紋画像とこの指紋画像の特徴点の座標位置を指定するためのポインタとを表示画面（モニタ）３に出力表示する画像出力制御部１１と、前記ポインタにより指定された前記指紋画像上の特徴点に特徴点表示マークを外部指令に基づいて設定表示する特徴点入力設定部１２とを備えた装置本体部１０を有する指紋特徴点表示入力装置にあって、
前記ポインタが位置する指紋画像全体の濃淡強度を、外部指令に基づいて濃淡上限値と濃淡下限値とから成る表示濃淡幅の範囲を予め別に装備されたメモリから濃淡表示用として選択し取り出す表示用濃淡値取得機能、
前記特徴点表示マークの設定表示に際しては、新たに選択された前記表示濃淡幅で、前記指紋画像全体の出力表示を更新表示する濃淡幅更新表示機能、
前記表示濃淡幅の新たな設定情報が無い場合には、当該設定された表示濃淡幅を特徴点表示入力用の表示濃淡幅として固定し保持する濃淡幅固定保持機能、
および前記表示濃淡幅で固定設定された指紋画像の特徴点に、外部指令に基づいて表示マークを設定表示する表示マーク設定処理機能、とを設け、
これらの各機能を前記装置本体部１０が備えているコンピュータに実現させるようにしたことを特徴とする指紋特徴点入力プログラム。
【００９０】
この出願は２０１２年５月２２日に出願された日本出願特願２０１２−１１６５６５を基礎とする優先権を主張し、その開示の全てをここに取り込む。
【産業上の利用可能性】
【００９１】
本発明は、タブレット端末の表示画面やタッチパネル装置のタッチパネルディスプレイに対して特徴点情報を入力操作を行う特徴点入力システムに対して有用に適用することができる。
【符号の説明】
【００９２】
１  特徴点情報入力装置
２  入力機器（マウス）
２Ａ  表示指令入力機能
２Ｂ  濃淡表示範囲設定機能
３  データ表示手段（表示画面／モニタ）
１０  装置本体部
１０Ａ  主制御部
１１  画像出力制御部
１１Ａ  濃淡幅更新機能
１１Ｂ  濃淡幅固定保持機能
１２  特徴点入力設定部
１３  濃淡値幅調整部
１３Ａ  濃淡値メモリ
１４  設定情報転送部
１５  記憶部
２１  入力機器（キーボード）
【図１】
2013176134.tif 000003
【図２】
2013176134.tif 000004
【図３】
2013176134.tif 000005
【図４】
2013176134.tif 000006
【図５】
2013176134.tif 000007
【図６】
2013176134.tif 000008
【図７】
2013176134.tif 000009
【図８】
2013176134.tif 000010
【国際調査報告】
2013176134.tif 000011
2013176134.tif 000012